(57)【要約】【課題】管理センタが複数の子機の最適な通信ルートを設定し、現場での通信ルートの再構築の手間が不要となる遠隔検針システムを提供する。【解決手段】遠隔検針システム１は、検針メータＭに対応する子機２と、子機２と通信する親機３と、親機３と通信する管理センタ４と、情報端末５と、を備え、子機２が識別情報２１を有し、情報端末５が、子機２について、識別情報２１を読み取るとともにＧＰＳ衛星Ｓから位置情報を取得して管理センタ４に送信し、管理センタ４が位置情報に基づいて子機２の最適な通信ルートを検出し、最適な通信ルートに対応するルート情報を子機２に送信し、子機２が受信したルート情報を記憶して以降の通信を実行する。【選択図】図１
2019071538.tif 000002
【特許請求の範囲】
【請求項１】
遠隔検針システムであって、
検針メータに対応する子機と、
前記子機と通信する親機と、
前記親機と通信する管理センタと、
情報端末と、を備え、
前記子機が識別情報を有し、
前記情報端末が、前記子機について、前記識別情報を読み取るとともにＧＰＳ衛星から
位置情報を取得して前記管理センタに送信し、
前記管理センタが前記位置情報に基づいて前記子機の最適な通信ルートを検出し、前記
最適な通信ルートに対応するルート情報を前記子機に送信し、
前記子機が受信した前記ルート情報を記憶して以降の通信を実行する、ことを特徴とす
る遠隔検針システム。
【請求項２】
前記識別情報が二次元コード又は一次元コードによって付与されることを特徴とする請
求項１に記載の遠隔検針システム。
【請求項３】
前記子機が集合住宅に設置されているとき、前記位置情報は、前記子機が設置されてい
る棟番号、階番号、部屋番号及びそれらが混合された番号からなる群から少なくとも１つ
を含むことを特徴とする請求項１又は２に記載の遠隔検針システム。
【発明の詳細な説明】
【技術分野】
【０００１】
本発明は、遠隔検針システムに関する。
【背景技術】
【０００２】
従来、ガス、水道、電気などの供給において、管理センタと親機の接続が成立している
状態で、管理センタから親機に対して当該親機の管理下にある複数の子機に対して検針値
を取得するよう要求を出し、検針値を収集する遠隔検針システムが知られている（例えば
、特許文献１参照）。
【０００３】
公知の遠隔検針システムでは、親機が設置されている状態で子機を新規に設置する場合
、子機側の操作により通信端末同士の縁組作業として、周辺の他の子機の有無を検索し、
応答があった子機のうち、受信電界強度から最適な通信ルートを選定し、子機からの登録
通報によりルート情報を管理センタに登録している。
【０００４】
しかしながら、複数の子機を新規に設置する場合、現場において、周辺の他の子機の検
索やルート情報の登録通報中は同じ無線チャネルを同時使用できないため、１台ずつ子機
を設置する必要がある。そうすると、設置台数が多い場合、必ず「１台の設置に必要な作
業時間×台数」分の時間が必要になってしまい、設置作業の効率が悪いという問題があっ
た。また、現場作業者は、各子機がどのような通信ルートを構築したのかを把握できず、
その通信ルートが最適でなかった場合、後日、通信ルート修正のため再度現場に赴かねば
ならないという問題があった。
【先行技術文献】
【特許文献】
【０００５】
【特許文献１】特開２００８−９２１０９号公報
【発明の概要】
【発明が解決しようとする課題】
【０００６】
本発明は、かかる課題に鑑みなされたものであり、管理センタが子機の最適な通信ルー
トを設定し、現場での通信ルートの再構築の手間が不要となる遠隔検針システムを提供す
ることを目的とする。
【課題を解決するための手段】
【０００７】
上記した課題を解決するために、本発明は、以下の態様によって把握される。
（１）本発明に係る態様は、遠隔検針システムであって、検針メータに対応する子機と、
前記子機と通信する親機と、前記親機と通信する管理センタと、情報端末と、を備え、前
記子機が識別情報を有し、前記情報端末が、前記子機について、前記識別情報を読み取る
とともにＧＰＳ衛星から位置情報を取得して前記管理センタに送信し、前記管理センタが
前記位置情報に基づいて前記子機の最適な通信ルートを検出し、前記最適な通信ルートに
対応するルート情報を前記子機に送信し、前記子機が受信した前記ルート情報を記憶して
以降の通信を実行する、ことを特徴とする。
【０００８】
（２）上記（１）に記載の構成において、前記識別情報が二次元コード又は一次元コード
によって付与される。
【０００９】
（３）上記（１）又は（２）に記載の構成において、前記子機が集合住宅に設置されてい
るとき、前記位置情報は、前記子機が設置されている棟番号、階番号、部屋番号及びそれ
らが混合された番号からなる群から少なくとも１つを含む。
【発明の効果】
【００１０】
本発明によれば、管理センタが子機の最適な通信ルートを設定し、現場での通信ルート
の再構築の手間が不要となる遠隔検針システムを提供することができる。
【図面の簡単な説明】
【００１１】
【図１】本実施形態に係る遠隔検針システムの全体を説明する図である。
【図２】本実施形態に係る遠隔検針システムにおける情報端末を説明する図である。
【図３】本実施形態に係る遠隔検針システムの子機、親機、情報端末及び管理センタの関係を説明する図である。
【図４】本実施形態に係る遠隔検針システムの子機に適用される無線通信端末のブロック図である。
【図５】本実施形態に係る遠隔検針システムに新規設置される子機の動作を示すフローチャートである。
【図６】本実施形態に係る遠隔検針システムの情報端末の動作を示すフローチャートである。
【図７】図６の変形例を示すフローチャートである。
【図８】本実施形態に係る遠隔検針システムの管理センタの動作を示すフローチャートである。
【図９】図８の親機及び子機抽出に係るサブフローチャートである。
【図１０】図８の評価点付与に係るサブフローチャートである。
【発明を実施するための形態】
【００１２】
以下、添付図面を参照して、本発明の実施形態について詳細に説明するが、各図におい
て、同一符号は同一又は対応する部分を示す。また、本発明は、以下の説明からも明らか
なようにこれらの実施形態に限定されるものではなく、発明の要旨の範囲内において当業
者であれば種々の変形が可能である。
【００１３】
（遠隔検針システムの構成）
本実施形態に係る遠隔検針システム１は、図１に示すように、検針メータＭ（図２参照
）に対応する子機２と、子機２と通信する親機３と、親機３と通信する管理センタ４とを
備えている。さらに、遠隔検針システム１は、図２及び図３を用いて後述するように、情
報端末５を備えている。遠隔検針システム１は、例えば、プロパンガス、都市ガス、水道
、電気など、各戸に対して提供されるいずれのサービスを対象とするものであってよく、
また、一定の地域をカバーするものであってもよいし、１つの集合住宅をカバーするもの
であってもよい。
【００１４】
子機２は、後述する無線通信端末２’から構成されており、図１では、８台の既設の子
機２（Ａ〜Ｈ）と新規に設置する１台の子機２（Ｘ）が図示されている。既設の子機２（
Ａ〜Ｈ）は、上位端末から下位端末に向かって、親機３の段数を０段として、１段目に子
機２（Ａ，Ｃ）、２段目に子機２（Ｂ，Ｄ，Ｅ，Ｆ，Ｈ）、３段目に子機２（Ｇ）がそれ
ぞれ設置されており、多段通信を行っている。通信ルートは、子機２（Ｇ）⇔子機２（Ｂ
，Ｄ，Ｅ，Ｆ又はＨ）⇔子機２（Ａ又はＣ）⇔親機３⇔管理センタ４となる。
【００１５】
本実施形態に係る遠隔検針システム１は、このように子機２（Ａ〜Ｈ）が既設されてい
る状態において、子機２（Ｘ）が新規に設置されるとき、子機２（Ｘ）を多段通信の中で
最適の通信ルートに位置付けることができるようにするものである。図１では、新設の子
機２（Ｘ）は、設定された条件下で得られた最適の通信ルートとして、子機２（Ｈ）の配
下に位置付けられた場合を例示している。この点、詳しくは後述する。
【００１６】
なお、図１では、既設の子機２として８台の子機２（Ａ〜Ｈ）が設けられた例を示して
いるが、もちろんその設定数量に限定はない。また、子機２の多段の段数も３段に限られ
ることはなく４段以上であってもよい。ただし、多段通信の確実性を考慮すると、４段ま
でが好ましい。
【００１７】
遠隔検針システム１について、図２及び図３を用いてさらに説明する。図２及び図３で
は、プロパンガスに係る遠隔検針システム１を例示している。図２に示すように、新規に
設置された検針メータＭに子機２（Ｘ）が接続されている。検針メータＭには、自己のシ
リアル番号Ｍ１が表示されるとともに、子機２（Ｘ）にも、自己のシリアル番号等の識別
情報２１が表示されている。識別情報２１は、読取性の観点からコード化されていること
が好ましく、二次元コード（ＱＲコード［登録商標］）や一次元コード（バーコード）な
どとすることができる。なお、以下では、識別情報２１としてＱＲコードに代表させて説
明する。
【００１８】
検針メータＭ及び子機２（Ｘ）を新規に設置する現場作業者は、携帯している情報端末
５によって、検針メータＭのシリアル番号Ｍ１及び子機２（Ｘ）の識別情報２１を読み取
る。この読み取りは、例えば、情報端末５に備わっているカメラ機能によって行うことが
好適である。子機２（Ｘ）の識別情報２１を表示するＱＲコードを読み取るにあたっては
、情報端末５にインストールされたコードリーダのアプリケーションを利用してもよいし
、情報端末５をコードリーダの専用機能があらかじめ組み込まれたものとしてもよい。
【００１９】
次に、現場作業者は、同じく情報端末５を用いて、子機２（Ｘ）が設置されている場所
の位置情報（緯度、経度）をＧＰＳ衛星Ｓから取得する。そして、現場作業者は、情報端
末５からネットワークＮを経由してプロパンガス供給会社の管理センタ４に、読み取った
検針メータＭのシリアル番号Ｍ１、子機２（Ｘ）の識別情報２１及び位置情報を送信する
。位置情報は、検針メータＭ及び子機２（Ｘ）が集合住宅に設置されるような場合、緯度
及び経度に加えて、子機２（Ｘ）が設置されている棟番号、階番号、部屋番号及びそれら
が混合された番号からなる群から少なくとも１つを含むことが好ましい。これにより、集
合住宅の各戸を高さ方向を含めて明確に区別することが可能となる。
【００２０】
引き続いて、子機２（Ａ〜Ｈ）、子機２（Ｘ）、親機３及び管理センタ４の関係につい
て、図３を参照して説明する。既設の子機２（Ａ〜Ｈ）及び設置後の子機２（Ｘ）は、検
針メータＭから収集されたガス検針やガス漏れ等の情報を、親機３を経由して管理センタ
４のサーバに送信する。これら情報は、例えば顧客情報、ガス使用管理情報、精算管理情
報などとして管理センタ４の顧客情報データベース４１に格納される。
【００２１】
一方、子機２（Ｘ）が新規に設置される場合は、前述したように、情報端末５（ネット
ワークＮに接続可能な、ハンディターミナル、携帯端末機、スマートフォン、ダブレット
など）によって子機２（Ｘ）の識別情報２１（図３では「ＱＲ」と表記）を取得して、識
別情報２１と位置情報を管理センタ４に送信する。これらの情報は、子機２（Ｘ）の位置
（緯度、経度）管理情報、通信ルート設定情報などとして管理センタ４の位置情報データ
ベース４２に格納される。
【００２２】
（無線通信端末）
ここで、図４を参照して、子機２（Ａ〜Ｈ）及び子機２（Ｘ）として適用される無線通
信端末２’について説明する。図４は、無線通信端末２’のブロック図を示しており、無
線通信端末２’は、ＣＰＵ（Ｃｅｎｔｒａｌ  Ｐｒｏｃｅｓｓｉｎｇ  Ｕｎｉｔ）制御部
１０１、ＲＯＭ（Ｒｅａｄ  Ｏｎｌｙ  Ｍｅｍｏｒｙ）１０２、ＲＡＭ（Ｒａｎｄｏｍ  
Ａｃｃｅｓｓ  Ｍｅｍｏｒｙ）１０３、操作部１０４、表示部１０５、特定小電力無線部
１０６、アンテナ１０７、メータＩ／Ｆ（インタフェース）１０８、及び電源部１０９を
備えている。
【００２３】
ＣＰＵ制御部１０１は、無線通信端末２’の全体を制御する。ＲＯＭ１０２は、ＣＰＵ
制御部１０１を動作させるためのプログラム、例えば、自己通信カウンタ加算処理、電文
ヘッダへの自己通信カウンタ保存処理、他宛電文受信時の上位通信カウンタ取得処理と保
存処理、通信時に上位端末通信カウンタによる上位端末選択処理に係るプログラム等を搭
載する。ＲＡＭ１０３は、ＣＰＵ制御部１０１の動作のための一時的な記憶領域として機
能する記憶手段であって、自己通信カウンタ、上位端末管理テーブル（上位端末番号、通
信カウンタ）を保存する。また、ＲＡＭ１０３は、後述するように、管理センタ４によっ
て検出された最適な通信ルートに対応するルート情報を記憶する。
【００２４】
操作部１０４は、例えばキーなどの操作手段を備え、無線通信端末２’の装置状況確認
、設置操作、通信試験を行う。表示部１０５は、例えば、ＬＥＤ等の表示手段を備え、設
置確認結果、試験結果表示などを行う。特定小電力無線部１０６とそのアンテナ１０７は
、親機３又は管理センタ４と通信するための通信手段である。メータＩ／Ｆ（インタフェ
ース）１０８は、起動要求信号の送信側となる通信装置である検針メータＭ（図２参照）
と接続されている。電源部１０９は、本無線通信端末２’の駆動電源となる電池等で構成
されている。
【００２５】
（遠隔検針システムの処理手順）
以下、図５から図１０を参照して、遠隔検針システム１において子機２（Ｘ）を新規に
設置し、その最適な通信ルートを選択する処理手順を説明する。
【００２６】
まず、図５を用いて、子機２（Ｘ）の処理手順を説明する。子機２（Ｘ）は、新規設置
を開始すると（Ｓ１００）、まず電源を投入され（Ｓ１０１）、後述するＳ３０８（図８
参照）において通知される管理センタ４からのルート情報が登録済みかどうかを判定する
（Ｓ１０２）。子機２（Ｘ）は、判定の結果が「ＹＥＳ」の場合、通信待機状態へ移行し
（Ｓ１０６）、判定の結果が「ＮＯ」の場合、ルート情報の受信を待つ（Ｓ１０３）。受
信が無いときは、Ｓ１０３のループを繰り返す。受信があると、その受信処理を行って（
Ｓ１０４）、受信したルート情報の登録を処理する（Ｓ１０５）。子機２（Ｘ）は、ルー
ト情報の登録処理を行った後、通常待機状態に入り（Ｓ１０６）、ルート情報に係る一連
の処理を終了する（Ｓ１０７）。
【００２７】
次に、図６を用いて、情報端末５の処理手順を説明する。情報端末５は、操作を開始す
ると（Ｓ２００）、子機２（Ｘ）のＱＲコードの読取処理をする（Ｓ２０１）。引き続い
て、情報端末５は、子機２（Ｘ）の位置情報（緯度、経度）をＧＰＳ衛星Ｓから取得する
（Ｓ２０２）。そして、ＱＲコード及び位置情報を管理センタ４へ通知して（Ｓ２０３）
、一連の処理を終了する（Ｓ２０４）。Ｓ２０３の管理センタ４への通知は、後述するＳ
３０２（図８参照）において管理センタ４によって受信処理される。
【００２８】
ここで、情報端末５は、図７に示すように、Ｓ２０２の後に、位置情報に基づいて子機
２（Ｘ）が設置される顧客を顧客リストから選択する（Ｓ２０２１）ようにしてもよい。
図６の場合、情報端末５から通知を受信した管理センタ４がＳ３０３（図８参照）におい
て顧客を抽出することとなるが、図７の場合、情報端末５がＱＲコード及び位置情報を当
該顧客に対応させて管理センタ４へ通知することにより、管理センタ４においてＳ３０３
（図８参照）における顧客の抽出が不要となる。
【００２９】
最後に、図８を用いて、管理センタ４の処理手順を説明する。管理センタ４は、操作を
開始すると（Ｓ３００）、前述したＳ２０３（図６及び図７参照）における情報端末５か
らのＱＲコード及び位置情報の受信を待つ（Ｓ３０１）。受信が無いときは、Ｓ３０１の
ループを繰り返す。情報端末５からの通知を受信すると、管理センタ４は、その受信処理
を行って（Ｓ３０２）、位置情報から該当する顧客を抽出する（Ｓ３０３）。そして、顧
客情報に対してＱＲコードを格納する（Ｓ３０４）。ここで、前述したように、情報端末
５がＳ２０２１において顧客を顧客リストから選択している場合は、管理センタ４は、Ｓ
３０３のステップをパスする。
【００３０】
管理センタ４は、位置情報に基づいて、距離が近い親機３及び子機２（Ａ〜Ｈ）を抽出
する（Ｓ３０５）。Ｓ３０５では、具体的には、図９に示すように、位置情報に基づいて
、直線距離で２００ｍ以内の親機３及び子機２（Ａ〜Ｈ）を抽出し、既設の対象機器とし
てリスト化して（Ｓ３０５１）、一連の処理を終了する（Ｓ３０５２）。なお、抽出する
範囲は、子機２（Ａ〜Ｈ）及び子機２（Ｘ）に設けられている特定小電力無線部１０６（
図４参照）を用いた市街地などの障害物が多い野外での通信を考慮して２００ｍとしてい
る。
【００３１】
図８に戻り、管理センタ４は、抽出された既設の対象機器である親機３及び子機２（Ａ
〜Ｈ）に対し、距離及び段数に応じた評価点を付与する（Ｓ３０６）。Ｓ３０６では、具
体的には、図１０に示すように、まず、リスト化された親機３及び子機２（Ａ〜Ｈ）に対
し、距離評価テーブルに基づいて距離について点数評価を行う（Ｓ３０６１）。次に、リ
スト化された親機３及び子機２（Ａ〜Ｈ）に対し、段数評価テーブルに基づいて親機３か
らの段数について点数評価を行う（Ｓ３０６２）。この一連の点数評価を抽出された対象
機器に対して全て完了したか否かを判定し（Ｓ３０６３）、「ＮＯ」の場合はＳ３０６１
とＳ３０６２を繰り返し、「ＹＥＳ」の場合は、一連の処理を終了する（Ｓ３０６４）。
【００３２】
図８に戻り、管理センタ４は、２つの点数評価を合算し、その合算された評価点に応じ
て親機３及び子機２（Ａ〜Ｈ）を並べ替える（Ｓ３０７）。そして、管理センタ４は、こ
れらのうち最も高い評価点を取得した対象機器を子機２（Ｘ）の通信ルートとして選択し
、子機２（Ｘ）へルート情報を通知して（Ｓ３０８）、一連の処理を終了する（Ｓ３０９
）。前述したように、子機２（Ｘ）は、この管理センタ４からルート情報の通知をＳ１０
３において受信し、当該ルートにしたがって以降の通信を行う。
【００３３】
以上で述べた管理センタ４のＳ３０６〜Ｓ３０８における処理について、具体例を挙げ
て説明する。まず、Ｓ３０６１で用いられる距離評価テーブルは、例えば表１のように設
定される。距離の区分は、前述のとおり最長距離を２００ｍとして、ここでは５段階に分
けている。そして、各距離に評価点Ａとして、近距離（０〜１９ｍ）から遠距離（１５０
〜２００ｍ）に向かって５〜１点を付与する。
【００３４】
【表１】
2019071538.tif 000003
【００３５】
次に、Ｓ３０６２で用いられる段数評価テーブルは、例えば表２のように設定される。
段数の区分は、親機３を０段目として、ここでは４段階に分けている。そして、各段数に
評価点Ｂとして、０段目から３段目に向かって各段数に４〜１点を付与する。
【００３６】
【表２】
2019071538.tif 000004
【００３７】
上記の距離評価テーブルと段数評価テーブルを用いて、既設の対象機器である親機３及
び子機２（Ａ〜Ｈ）と新設する子機２（Ｘ）との距離、及び既設の子機２（Ａ〜Ｈ）及び
親機３の間の段数を表３のように設定すると、新設される子機２（Ｘ）の通信ルートは、
以下のようにして選択される。
【００３８】
【表３】
2019071538.tif 000005
【００３９】
すなわち、まず、子機２（Ｘ）と既設の子機２（Ａ〜Ｈ）及び親機３との距離に評価点
Ａを付与する。ここで示した例では、子機２（Ａ〜Ｈ）の中で最も近距離なものは距離１
２ｍの子機２（Ｈ）であり、評価点Ａは５点となる。一方、子機２（Ａ〜Ｈ）の中で最も
遠距離なものは距離１４６ｍの子機２（Ｃ）であり、評価点Ａは２点となる。親機３の距
離は１８４ｍであり、評価点Ａは１点となる。
【００４０】
次に、既設の子機２（Ａ〜Ｈ）及び親機３の段数に評価点Ｂを付与する。ここで示した
例では、子機２（Ａ〜Ｈ）の中で最も段数が上位なものは１段目の子機２（Ａ，Ｃ）であ
り、評価点Ｂは３点となる。一方、子機２（Ａ〜Ｈ）の中で最も段数が下位なものは３段
目の子機２（Ｇ）であり、評価点Ｂは１点となる。親機３の段数は０段目であり、評価点
Ｂは４点となる。
【００４１】
次に、評価点Ａと評価点Ｂを合算し評価点（Ａ＋Ｂ）を得て、総合的な順位を得る。こ
こで示した例では、子機２（Ｈ）が評価点（Ａ＋Ｂ）７点で１位、子機２（Ｄ）が評価点
（Ａ＋Ｂ）６点で２位、子機２（Ａ、Ｂ，Ｃ，Ｅ，Ｆ，Ｇ）及び親機３が評価点（Ａ＋Ｂ
）５点で同列３位となる。評価点（Ａ＋Ｂ）が同列となった複数の子機２又は親機３につ
いては、同列順位に含まれるものの中で距離の近いものから順にサブ順位を付与する。こ
こでは、距離４２ｍの子機２（Ｇ）が同列３位のうちサブ順位１位、距離１８４ｍの親機
３が同列３位のうちサブ順位７位となる。なお、ここで示した例では、同列１位、同列２
位、同列４位に該当するものがないが、該当する場合は同様にサブ順位を定める。
【００４２】
以上の結果により、新たに設置される子機２（Ｘ）の通信ルートとなるべき上位端末の
優先順位として、表３のリストは、子機２（Ｈ）、子機２（Ｄ）、子機２（Ｇ）、子機２
（Ｂ）、子機２（Ｅ）、子機２（Ｆ）、子機２（Ａ）、子機２（Ｃ）、親機３の順に並べ
替えられる。この結果に基づき、管理センタ４は、Ｓ３０８（図８参照）の処理において
、子機２（Ｘ）に対し、並べ替えられたリストの筆頭である子機２（Ｈ）が最適の通信ル
ートであるとするルート情報を通知する。子機２（Ｘ）の段数は、２段目の子機２（Ｈ）
の配下となることから、３段目となる（図１参照）。
【００４３】
なお、子機２（Ｈ）以外の子機２（Ａ〜Ｇ）又は親機３は、上記した優先順位に基づき
、子機２（Ｈ）に何らかの故障（電池残量低下、電池交換の稼動空白期間、機械的故障、
通信障害など）が発生したときの代替的な通信ルートとして生かされる。因みに、その場
合、子機２（Ｘ）の段数は、親機３に従属した場合は１段目、子機２（Ａ，Ｃ）に従属し
た場合は２段目、子機２（Ｂ，Ｄ，Ｅ，Ｆ，Ｈ）に従属した場合は３段目、子機２（Ｇ）
に従属した場合は４段目となる。
【００４４】
以上説明したように、本実施形態では、親機３からみた段数を考慮したうえで、新設の
子機２（Ｘ）を既設の対象機器である親機３及び子機２（Ａ〜Ｈ）に対し最短の距離とな
るように、最適な通信ルートを選択することができる。
【００４５】
（実施形態の効果）
本実施形態は、上記のように構成したことから、新規に設置する子機２（Ｘ）が複数で
ある場合でも、それぞれに複数の現場作業者によって、異なる現場で複数の子機２（Ｘ）
を同時に設置して、それらの識別情報２１及び位置情報を管理センタ４に各別に通知する
作業が可能となるため、設置作業の効率化を図ることができる。また、管理センタ４が位
置情報から複数の子機２（Ｘ）の最適な通信ルートを一元的に設定することができるので
、現場でのルート再構築の手間をなくすことができる。
【００４６】
以上、実施形態について説明したが、本発明は、具体的な実施形態に限定されるもので
はなく、種々の変更を行ったものも含まれるものであり、そのことは、当業者にとって特
許請求の範囲の記載から明らかである。
【符号の説明】
【００４７】
１…遠隔検針システム
２…子機、２’…無線通信端末、２１…識別情報
３…親機
４…管理センタ、４１…顧客情報データベース、４２…位置情報データベース
５…情報端末
１０１…ＣＰＵ制御部
１０２…ＲＯＭ
１０３…ＲＡＭ
１０４…操作部
１０５…表示部
１０６…特定小電力無線部
１０７…アンテナ
１０８…メータＩ／Ｆ（インタフェース）
１０９…電源部
Ｍ…検針メータ
Ｓ…ＧＰＳ衛星
Ｎ…ネットワーク
【図１】
2019071538.tif 000006
【図２】
2019071538.tif 000007
【図３】
2019071538.tif 000008
【図４】
2019071538.tif 000009
【図５】
2019071538.tif 000010
【図６】
2019071538.tif 000011
【図７】
2019071538.tif 000012
【図８】
2019071538.tif 000013
【図９】
2019071538.tif 000014
【図１０】
2019071538.tif 000015